(57)【要約】【課題】項目を表示するための操作が容易になる情報表示端末を提供する。【解決手段】タッチユーザインターフェイスを備える情報表示端末のＣＰＵが実行する処理は、リスト部が表示されたことに基づいて、ダイヤルＵＩ（ユーザインターフェイス）をディスプレイに表示するステップ（Ｓ４２０）と、ダイヤルＵＩから指の回転動作を検出すると（ステップＳ４３０にてＹＥＳ）、ダイヤルＵＩの回転量に応じて、表示される段（たとえば「あ」、「い」、「う」、「え」、「お」）の連絡先の頭出しを行なうステップ（Ｓ４３５）と、頭出しされた連絡先の先頭の文字をディスプレイの画面に表示するステップ（Ｓ４４０）と、ダイヤルＵＩへの操作が一定時間（ｋ秒）行なわれていない場合に（ステップＳ４５５にてＹＥＳ）、ディスプレイに表示されていたダイヤルＵＩを非表示にするステップ（Ｓ４６０）とを含む。【選択図】図４
2013196599.tif 000002
【特許請求の範囲】
【請求項１】
情報表示端末であって、
タッチパネルを有するモニタと、
各々が一つ以上の文字を有する複数の項目を格納するためのメモリと、
前記メモリに電気的に接続されるプロセッサとを備え、
前記プロセッサは、
５０音を構成する各行のうちのいずれかの行ごとに、見出しが当該行の文字から始まる複数の項目を前記モニタに表示し、
当該行における前記複数の項目の見出しを、当該行の段ごとに切り換えるためのタッチ操作を受け付ける画像を前記モニタに表示する、情報表示端末。
【請求項２】
前記画像の近傍が回転方向にタッチ操作されると、前記プロセッサは、前記回転方向に応じて、当該行における前記複数の項目の見出しを、当該行の第１の段の文字から第２の段の文字に切り換える、請求項１に記載の情報表示端末。
【請求項３】
前記プロセッサは、前記回転方向へのタッチ操作に基づいて、項目の見出しとして前記第２の段の文字を前記モニタに表示させ、
前記第２の段の文字が前記モニタに表示された後に前記タッチ操作がなくなると、前記プロセッサは、前記第２の段の文字を非表示にする、請求項２に記載の情報表示端末。
【請求項４】
前記プロセッサは、前記回転方向とは逆方向のタッチ操作に基づいて、前記第２の段から前記第１の段の文字から始まる項目を、前記モニタに表示させる、請求項３に記載の情報表示端末。
【請求項５】
前記プロセッサは、前記モニタにおける項目の表示を第１の行から第２の行に切り換えるための操作に基づいて、前記画像を前記モニタに表示する、請求項１〜４のいずれかに記載の情報表示端末。
【請求項６】
前記プロセッサは、
前記画像の一部を前記モニタに表示させ、
前記画像の一部が表示されている場合に、前記画像の近傍に対するタッチ操作に基づいて、複数の項目の見出しを、当該行の段ごとに切り換える、請求項１〜５のいずれかに記載の情報表示端末。
【請求項７】
前記プロセッサは、
前記画像の全部を前記モニタに表示させ、
前記画像の全部が表示されている場合に、前記画像の近傍に対するタッチ操作に基づいて、各項目の見出しを構成する２番目の文字を、当該行の次の行に切り換える、請求項６に記載の情報表示端末。
【請求項８】
情報表示端末を制御するための方法であって、前記情報表示端末は、タッチパネルを有するモニタと、各々が一つ以上の文字を有する複数の項目を格納するためのメモリと、前記メモリに電気的に接続されるプロセッサとを備えており、
前記方法は、
前記モニタが、５０音を構成する各行のうちのいずれかの行ごとに、見出しが当該行の文字から始まる複数の項目を表示するステップと、
前記モニタが、当該行における前記複数の項目の見出しを、当該行の段ごとに切り換えるためのタッチ操作を受け付ける画像を表示するステップとを含む、方法。
【請求項９】
情報表示端末を制御するためのプログラムであって、前記情報表示端末は、タッチパネルを有するモニタと、各々が一つ以上の文字を有する複数の項目を格納するためのメモリと、前記メモリに電気的に接続されるプロセッサとを備えており、
前記プログラムは、前記プロセッサに、
前記モニタが、５０音を構成する各行のうちのいずれかの行ごとに、見出しが当該行の文字から始まる複数の項目を表示するステップと、
前記モニタが、当該行における前記複数の項目の見出しを、当該行の段ごとに切り換えるためのタッチ操作を受け付ける画像を表示するステップとを実行させる、プログラム。
【発明の詳細な説明】
【技術分野】
【０００１】
本発明は、タッチユーザインターフェイスを備える情報表示端末の制御に関し、より特定的には、複数の項目の表示の制御に関する。
【背景技術】
【０００２】
従来、ユーザインターフェイスの一つとして、携帯電話機やスマートフォンの電話帳の表示では、５０音のタブ表示や、縦タブ表示などが用いられる。この場合、あ行、か行のような各行において、「ｉ」、「ｕ」、「ｅ」、「ｏ」の音（たとえば、か行における「き」、「く」、「け」、「こ」）へ移るためには、各行の先頭に移動した後に、当該行のリストをスクロールすることで、項目を切り換えている。
【０００３】
ユーザインターフェイスに関し、たとえば、特開２０１１−７０４８９号公報（特許文献１）は、「操作性を向上させたユーザインターフェース装置、ユーザインターフェース装置の制御方法、及びプログラム」を開示している。特許文献１に開示されたユーザインターフェース装置は、「接触した指の動作を検知するタッチパネルと、指の動作とジェスチャーとの対応関係を記憶する記憶手段と、タッチパネルに接触した指の動作がジェスチャーであるか否かを判断し、ジェスチャーである場合に、そのジェスチャーに対応付けられた軌跡に基づいてタッチパネルに案内軌跡を表示し、案内軌跡上に、ポイントとなる地点と、その地点まで操作したときに予想される結果とを表示するように制御する制御手段」とを備える（［要約］参照）。
【先行技術文献】
【特許文献】
【０００４】
【特許文献１】特開２０１１−７０４８９号公報
【発明の概要】
【発明が解決しようとする課題】
【０００５】
ユーザは、電話帳の操作において、常に、各行の先頭の姓名の連絡先を探すことはなく、各行におけるｉ，ｕ，ｅ，ｏ音から始まる連絡先を探すことも少なくない。しかしならがら、従来のスマートフォンは、各行の先頭からの表示を行なっている。そのため、各行におけるｉ，ｕ，ｅ，ｏ音から始まる連絡先その他の項目を探すためには、ユーザは、繰り返しスクロール操作を行わなければならない。また、検索機能を実現するためには、当該スマートフォンは、読み仮名や表示名を認識している必要があり、検索の方法によっては目的とする連絡先その他の項目が表示されないこともある。したがって、繰り返しスクロール操作を行なうことなく項目を確実に表示できる技術が必要とされている。
【０００６】
本発明は、上述のような問題点を解決するためになされたものであって、ある局面における目的は、項目を表示するための操作が容易になる情報表示端末を提供することである。
【０００７】
他の局面における目的は、項目を表示するための操作が容易になるように情報表示端末を制御するための方法を提供することである。
【０００８】
さらに他の局面における目的は、情報表示端末に項目を表示するための操作が容易になるように情報表示端末を制御するためのプログラムを提供することである。
【課題を解決するための手段】
【０００９】
一実施の形態に従う情報表示端末は、タッチパネルを有するモニタと、各々が一つ以上の文字を有する複数の項目を格納するためのメモリと、メモリに電気的に接続されるプロセッサとを備える。プロセッサは、５０音を構成する各行のうちのいずれかの行ごとに、見出しが当該行の文字から始まる複数の項目をモニタに表示し、当該行における複数の項目の見出しを、当該行の段ごとに切り換えるためのタッチ操作を受け付ける画像をモニタに表示する。
【００１０】
好ましくは、画像の近傍が回転方向にタッチ操作されると、プロセッサは、回転方向に応じて、当該行における複数の項目の見出しを、当該行の第１の段の文字から第２の段の文字に切り換える。
【００１１】
好ましくは、プロセッサは、回転方向へのタッチ操作に基づいて、項目の見出しとして第２の段の文字をモニタに表示させる。第２の段の文字がモニタに表示された後にタッチ操作がなくなると、プロセッサは、第２の段の文字を非表示にする。
【００１２】
好ましくは、プロセッサは、回転方向とは逆方向のタッチ操作に基づいて、第２の段から第１の段の文字から始まる項目を、モニタに表示させる。
【００１３】
好ましくは、プロセッサは、モニタにおける項目の表示を第１の行から第２の行に切り換えるための操作に基づいて、画像をモニタに表示する。
【００１４】
好ましくは、プロセッサは、画像の一部をモニタに表示させ、画像の一部が表示されている場合に、画像の近傍に対するタッチ操作に基づいて、複数の項目の見出しを、当該行の段ごとに切り換える。
【００１５】
好ましくは、プロセッサは、画像の全部をモニタに表示させ、画像の全部が表示されている場合に、画像の近傍に対するタッチ操作に基づいて、各項目の見出しを構成する２番目の文字を、当該行の次の行に切り換える。
【００１６】
他の実施の形態に従うと、情報表示端末を制御するための方法が提供される。情報表示端末は、タッチパネルを有するモニタと、各々が一つ以上の文字を有する複数の項目を格納するためのメモリと、メモリに電気的に接続されるプロセッサとを備えている。この方法は、モニタが、５０音を構成する各行のうちのいずれかの行ごとに、見出しが当該行の文字から始まる複数の項目を表示するステップと、モニタが、当該行における複数の項目の見出しを、当該行の段ごとに切り換えるためのタッチ操作を受け付ける画像を表示するステップとを含む。
【００１７】
さらに他の実施の形態に従うと、情報表示端末を制御するためのプログラムが提供される。情報表示端末は、タッチパネルを有するモニタと、各々が一つ以上の文字を有する複数の項目を格納するためのメモリと、メモリに電気的に接続されるプロセッサとを備えている。このプログラムは、プロセッサに、モニタが、５０音を構成する各行のうちのいずれかの行ごとに、見出しが当該行の文字から始まる複数の項目を表示するステップと、モニタが、当該行における複数の項目の見出しを、当該行の段ごとに切り換えるためのタッチ操作を受け付ける画像を表示するステップとを実行させる。
【００１８】
ある局面において、情報表示端末に項目を表示させるための操作が容易になる。
この発明の上記および他の目的、特徴、局面および利点は、添付の図面と関連して理解されるこの発明に関する次の詳細な説明から明らかとなるであろう。
【図面の簡単な説明】
【００１９】
【図１】情報表示端末１００のディスプレイ３５における表示画面を表わす図である。
【図２】情報表示端末１００のハードウェア構成を表わすブロック図である。
【図３】情報表示端末１００によって実現される機能の構成を表わすブロック図である。
【図４】情報表示端末１００のＣＰＵ２０によって実行される一連の処理の一部を表わすフローチャートである。
【図５】ディスプレイ３５における画面の変化を表わす図である。
【図６】ディスプレイ３５における画面の変化を表わす図である。
【図７】本変形例に係る情報表示端末１００のＣＰＵ２０が実行する処理の一部を表わすフローチャートである。
【図８】連絡先がディスプレイ３５に表示されている状態を表わす図である。
【発明を実施するための形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
図１を参照して、本実施の形態に係る情報表示端末１００の外観について説明する。図１は、情報表示端末１００のディスプレイ３５における表示画面を表わす図である。本実施の形態において、情報表示端末１００は、携帯電話機、スマートフォン、タブレット端末、電子辞書その他の情報表示装置であって、タッチパネルその他のタッチユーザインターフェイスを有する装置であればよい。
【００２２】
ある局面において、ディスプレイ３５は、電話帳を表示する。電話帳は、たとえば、５０音順に構成されており、たとえば、「あ」行、「か」行のように各行毎に分けられて表示される。
【００２３】
なお、本実施の形態に係る技術思想は、電話帳に限られず、たとえば、電子辞書その他の複数のデータ項目の文字毎に配列可能なデータベースに適用可能である。したがって、たとえば、電子辞書の場合には、電話帳における通信相手の名称の代わりに、見出し語が用いられることになる。
【００２４】
＜ハードウェア構成＞
図２を参照して、本実施の形態に係る情報表示端末１００の構成について説明する。図２は、情報表示端末１００のハードウェア構成を表わすブロック図である。
【００２５】
図２を参照して、情報表示端末１００のハードウェア構成についてさらに説明する。図２は、情報表示端末１００のハードウェア構成を表わすブロック図である。
【００２６】
情報表示端末１００は、ＣＰＵ２０と、アンテナ２３と、通信装置２４と、カメラ２６と、フラッシュメモリ２７と、ＲＡＭ（Random  Access  Memory）２８と、ＲＯＭ２９と、メモリカード駆動装置３０と、マイク３２と、スピーカ３３と、音声信号処理回路３４と、ディスプレイ３５と、ＬＥＤ（Light  Emitting  Diode）３６と、データ通信Ｉ／Ｆ３７と、バイブレータ３８とを備える。メモリカード駆動装置３０には、メモリカード３１が装着され得る。
【００２７】
アンテナ２３は、基地局によって発信される信号を受信し、または、基地局を介して他の通信装置と通信するための信号を送信する。アンテナ２３によって受信された信号は、通信装置２４によってフロントエンド処理が行なわれた後、処理後の信号は、ＣＰＵ２０に送られる。
【００２８】
ＣＰＵ２０は、情報表示端末１００に対して与えられる命令に基づいて情報表示端末１００の動作を制御するための処理を実行する。情報表示端末１００が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された信号処理を実行し、処理後の信号をスピーカ３３に送出する。スピーカ３３は、その信号に基づいて音声を出力する。
【００２９】
マイク３２は、情報表示端末１００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００３０】
フラッシュメモリ２７は、ＣＰＵ２０から送られるデータを格納する。また、ＣＰＵ２０は、フラッシュメモリ２７に格納されているデータを読み出し、そのデータを用いて予め規定された処理を実行する。
【００３１】
ＲＡＭ２８は、ユーザインターフェイス２５に対して行なわれた操作に基づいてＣＰＵ２０によって生成されるデータを一時的に保持する。ＲＯＭ２９は、情報表示端末１００に予め定められた動作を実行させるためのプログラムあるいはデータを格納している。ＣＰＵ２０は、ＲＯＭ２９から当該プログラムまたはデータを読み出し、情報表示端末１００の動作を制御する。
【００３２】
メモリカード駆動装置３０は、メモリカード３１に格納されているデータを読み出し、ＣＰＵ２０に送出する。メモリカード駆動装置３０は、ＣＰＵ２０によって出力されるデータを、メモリカード３１の空き領域に書き込む。
【００３３】
音声信号処理回路３４は、上述のような通話のための信号処理を実行する。なお、図２に示される例では、ＣＰＵ２０と音声信号処理回路３４とが別個の構成として示されているが、他の局面において、ＣＰＵ２０と音声信号処理回路３４とが一体として構成されていてもよい。
【００３４】
ディスプレイ３５は、タッチパネル式のディスプレイであるが、タッチパネルの機構は特に限られない。ディスプレイ３５は、ＣＰＵ２０から取得されるデータに基づいて、当該データによって規定される画像を表示する。たとえば、フラッシュメモリ２７が格納している静止画、動画、音楽ファイルの属性（当該ファイルの名前、演奏者、演奏時間など）を表示する。
【００３５】
ＬＥＤ３６は、ＣＰＵ２０からの信号に基づいて、予め定められた発光動作を実現する。データ通信Ｉ／Ｆ３７は、データ通信用のケーブルの装着を受け付ける。
【００３６】
データ通信Ｉ／Ｆ３７は、ＣＰＵ２０から出力される信号を当該ケーブルに対して送出する。あるいは、データ通信Ｉ／Ｆ３７は、当該ケーブルを介して受信されるデータを、ＣＰＵ２０に対して送出する。
【００３７】
バイブレータ３８は、ＣＰＵ２０から出力される信号に基づいて、予め定められた周波数で発振動作を実行する。
【００３８】
＜機能構成＞
ある局面において、ＣＰＵ２０は、５０音を構成する各行のうちのいずれかの行ごとに、見出しが当該行の文字から始まる複数の項目をディスプレイ３５に表示し、当該行における複数の項目の見出しを、当該行の段ごとに切り換えるためのタッチ操作を受け付ける画像をディスプレイ３５に表示する。
【００３９】
別の局面において、画像の近傍が回転方向にタッチ操作されると、ＣＰＵ２０は、回転方向に応じて、当該行における複数の項目の見出しを、当該行の第１の段の文字から第２の段の文字に切り換える。
【００４０】
別の局面において、ＣＰＵ２０は、回転方向へのタッチ操作に基づいて、項目の見出しとして第２の段の文字をディスプレイ３５に表示させる。第２の段の文字がディスプレイ３５に表示された後にタッチ操作がなくなると、ＣＰＵ２０は、第２の段の文字を非表示にする。
【００４１】
別の局面において、ＣＰＵ２０は、回転方向とは逆方向のタッチ操作に基づいて、第２の段から第１の段の文字から始まる項目を、ディスプレイ３５に表示させる。
【００４２】
別の局面において、ＣＰＵ２０は、ディスプレイ３５における項目の表示を第１の行から第２の行に切り換えるための操作に基づいて、画像をディスプレイ３５に表示する。
【００４３】
別の局面において、ＣＰＵ２０は、画像の一部をディスプレイ３５に表示させる。ＣＰＵ２０は、画像の一部が表示されている場合に、画像の近傍に対するタッチ操作に基づいて、複数の項目の見出しを、当該行の段ごとに切り換える。
【００４４】
別の局面において、ＣＰＵ２０は、画像の全部をディスプレイ３５に表示させる。ＣＰＵ２０は、画像の全部が表示されている場合に、画像の近傍に対するタッチ操作に基づいて、各項目の見出しを構成する２番目の文字を、当該行の次の行に切り換える。
【００４５】
他の実施の形態において、情報表示端末を制御するための方法は、ディスプレイ３５が、５０音を構成する各行のうちのいずれかの行ごとに、見出しが当該行の文字から始まる複数の項目を表示するステップと、ディスプレイ３５が、当該行における複数の項目の見出しを、当該行の段ごとに切り換えるためのタッチ操作を受け付ける画像を表示するステップとを含む。
【００４６】
さらに他の実施の形態において、情報表示端末を制御するためのプログラムは、ＣＰＵ２０に、ディスプレイ３５が、５０音を構成する各行のうちのいずれかの行ごとに、見出しが当該行の文字から始まる複数の項目を表示するステップと、ディスプレイ３５が、当該行における複数の項目の見出しを、当該行の段ごとに切り換えるためのタッチ操作を受け付ける画像を表示するステップとを実行させる。
【００４７】
図３を参照して、本実施の形態に係る情報表示端末１００の構成についてさらに説明する。図３は、情報表示端末１００によって実現される機能の構成を表わすブロック図である。情報表示端末１００は、制御部３１０と、記憶部３２０と、操作検出部３３０と、表示部３４０とを備える。制御部３１０は、電話帳表示制御部３１１と、ダイヤル表示制御部３１２とを含む。
【００４８】
制御部３１０は、情報表示端末１００に対して与えられる命令に基づいて、または、記憶部３２０に格納されている命令に基づいて、情報表示端末１００の動作を制御する。詳しくは、電話帳表示制御部３１１は、記憶部３２０に格納されている電話帳データに基づいて電話帳を表示部３４０に表示させる。ダイヤル表示制御部３１２は、記憶部３２０に格納されている画像データに基づいて、タッチ操作式のダイヤルユーザインターフェイス（以下「ダイヤルＵＩ」ともいう）を表示部３４０に表示させる。また他の局面において、ダイヤル表示制御部３１２は、表示部３４０に表示されるダイヤルＵＩの位置を変更する。この位置の変更は、たとえば、操作検出部３３０に対して与えられる操作に基づいて行なわれる。
【００４９】
操作検出部３３０は、表示部３４０の表示領域に対する操作を検出する。検出結果を示す信号は、制御部３１０に送られる。
【００５０】
記憶部３２０は、情報表示端末１００に対して予め規定された処理を実行させるための命令またはデータ、および、制御部３１０によって生成されたデータを格納する。
【００５１】
＜制御構造＞
図４を参照して、本実施の形態に係る情報表示端末１００の制御構造について説明する。図４は、情報表示端末１００のＣＰＵ２０によって実行される一連の処理の一部を表わすフローチャートである。この処理は、たとえば、図１に示されるような電話帳がディスプレイ３５に表示されている場合に行なわれる。
【００５２】
ステップＳ４１０にて、ＣＰＵ２０は、ユーザインターフェイス２５からの信号に基づいて、行タブの選択を検出する。
【００５３】
ステップＳ４１５にて、ＣＰＵ２０は、行タブの選択に基づいて、リスト部をディスプレイ３５に表示する。
【００５４】
ステップＳ４２０にて、ＣＰＵ２０は、リスト部が表示されたことに基づいて、ダイヤルＵＩをディスプレイ３５に表示する。
【００５５】
ステップＳ４２５にて、ＣＰＵ２０は、予め定められた時間（ｍ秒）以内にダイヤルＵＩへの操作があったか否かを判断する。この時間（ｍ秒）は、予め商品出荷前に設定されていてユーザが変更できないようにされていても構わないし、ユーザによって設定および変更可能であってもよい。ＣＰＵ２０は、ダイヤルＵＩへの操作があったと判断すると（ステップＳ４２５にてＹＥＳ）、制御をステップＳ４３０に切り換える。そうでない場合には（ステップＳ４２５にてＮＯ）、ＣＰＵ２０は、制御をステップＳ４６０に切り換える。
【００５６】
ステップＳ４３０にて、ＣＰＵ２０は、ユーザインターフェイス２５から送られる信号に基づいて、ダイヤルＵＩから指の回転動作を検出したか否かを判断する。ＣＰＵ２０は、指の回転動作を検出したと判断すると（ステップＳ４３０にてＹＥＳ）、制御をステップＳ４３５に切り換える。そうでない場合には（ステップＳ４３０にてＮＯ）、ＣＰＵ２０は、制御をステップＳ４５５に切り換える。
【００５７】
ステップＳ４３５にて、ＣＰＵ２０は、ダイヤルＵＩの回転量に応じて、表示される段（たとえば「あ」、「い」、「う」、「え」、「お」）の連絡先の頭出しを行なう。
【００５８】
ステップＳ４４０にて、ＣＰＵ２０は、頭出しされた連絡先の先頭の文字をディスプレイ３５の画面に表示する。
【００５９】
ステップＳ４４５にて、ＣＰＵ２０は、ユーザインターフェイス２５から送られる信号に基づいて、ユーザの指がタッチパネルから離れたか否かを判断する。ＣＰＵ２０は、ユーザの指がタッチパネルから離れたと判断すると（ステップＳ４４５にてＹＥＳ）、制御はステップＳ４５０に切り換える。そうでない場合には（ステップＳ４４５にてＮＯ）、ＣＰＵ２０は、制御をステップＳ４３０に戻す。
【００６０】
ステップＳ４５０にて、ＣＰＵ２０は、ディスプレイ３５に表示していた先頭の文字を非表示にする。
【００６１】
ステップＳ４５５にて、ＣＰＵ２０は、ユーザインターフェイス２５からの出力に基づいて、予め設定されたｋ秒以上ダイヤルＵＩへの操作を検出して否かどうかを判断する。この時間（ｋ秒）は、予め商品出荷前に設定されていてユーザが変更できないようにされていても構わないし、ユーザによって設定および変更可能であってもよい。ＣＰＵ２０は、ダイヤルＵＩへの操作を検出していないと判断すると（ステップＳ４５５にてＹＥＳ）、制御をステップＳ４６０に切り換える。そうでない場合には（ステップＳ４５５にてＮＯ）、ＣＰＵ２０は、制御をステップＳ４３０に戻す。
【００６２】
ステップＳ４６０にて、ＣＰＵ２０は、ディスプレイ３５に表示されていたダイヤルＵＩを非表示にする。その後、処理は終了する。
【００６３】
＜表示態様＞
図５および図６を参照して、実施の形態に係る情報表示端末１００における画面の推移について説明する。図５および図６は、それぞれディスプレイ３５における画面の変化を表わす図である。
【００６４】
状態Ａに示されるように、ある局面において、ディスプレイ３５は、電話帳を表示している。たとえば、ディスプレイ３５は、電話帳の初期の表示設定として「あ」行から始まる電話帳のリストを表示する。より具体的には、行タブ部５１０は、電話帳を構成するグループの見出しとして「あ」、「か」、「さ」、「た」、「な」、のように見出しを表示する。そして、「あ」の見出しは、実際にリスト部５２０として示されているように、ディスプレイ３５に表示されていることを示すために、他の見出しと異なる表示態様で表示されている。
【００６５】
行タブ部５１０は、スクロール操作が行なわれると、他の行（たとえば「か」）に移動することができる。リスト部５２０は、選択されている行（たとえば「あ」）に属する連絡先を表示する。リスト部を構成するデータ項目がディスプレイ３５において表示可能な行数を上回る場合には、リスト部５２０は、表示画面の上下に沿ってスクロールすることができる。
【００６６】
状態Ｂを参照して、ある局面において、ディスプレイ３５は、スライド操作（「フリック」ともいう）５３０を受け付けることができる。たとえば、ディスプレイ３５の表示領域に対して指を左右に動かすと、「あ」行に隣接する「か」行に連絡先の表示を切り換えることができる。
【００６７】
具体的には、状態Ｃに示されるように、スライド操作５３０によって指が右から左に操作されると、ディスプレイ３５は、連絡先として「か」行に属する連絡先の一覧を表示する。さらに、ディスプレイ３５は、行の見出しが「あ」から「か」に切り換わったことに基づいて、ダイヤルＵＩ５４０を表示領域の下に表示する。ダイヤルＵＩ５４０の表示は、予め設定された一定時間以上ダイヤル操作が行なわれない場合には、非表示に切り換わる。
【００６８】
状態Ｄに示されるように、ある局面において、ダイヤルＵＩ５４０は、表示されている画像に沿って指による回転操作が行なわれると、表示されている行（具体的には「か」行）の各段に表示を切り換えることができる。より具体的には、状態Ｅに示されるように、たとえば、ユーザがダイヤルＵＩ５４０を右方向（時計方向）に沿ってダイヤルすると、状態Ｆに示されるように、当初表示されていた「か」の段から「き」の段に表示を切り換えることができる。表示される段が切り換えられると、状態Ｆに示されるように、ディスプレイ３５は、表示される段の文字５５０（具体的には「き」）を表示する。これにより、ユーザは、ディスプレイ３５に表示されているリストが「か」行「い」段である「き」であることを容易に認識することができる。
【００６９】
ユーザは、ダイヤルＵＩ５４０のダイヤル操作量に応じて、同一の行における段の変更を制御することができる。より具体的には、ユーザがダイヤルＵＩ５４０をさらに右方向にダイヤルすると、文字５５０の表示は「く」に切り換わり、ディスプレイ３５は、「く」から始まる連絡先を表示する。このとき、連絡先の切り換えは、ユーザの操作の特徴に応じてユーザが自由に設定可能であってもよい。たとえば、画面の表示の切り換えにおいて多少の許容範囲を持たせるために、ダイヤルＵＩ５４０が予め定められた角度以上ダイヤル操作されない限り画面を切り換えないように構成されてもよい。この角度は、情報表示端末１００のユーザによって設定変更可能である。これにより、ユーザの操作の癖等に応じて情報表示端末１００に対するユーザインターフェイス機能が調整される。
【００７０】
図６を参照して、状態Ａに示されるように、ユーザがタッチ操作を行なうことによりダイヤルＵＩ５４０をさらに回転すると、ディスプレイ３５は、文字６１０として「く」を表示する。より具体的には、ディスプレイ３５の表示領域には、「く」から始まる連絡先の一覧が表示される。このとき、ディスプレイ３５において表示可能な行数よりも連絡先の数が少ない場合には、その次の文字（すなわち「け」）から始まる連絡先が続けて表示される。
【００７１】
ダイヤルＵＩの操作方向は、一方向に限られない。すなわち、逆方向に対する回転操作が行なわれてもよい。たとえば、状態Ｂに示されるように、ユーザがダイヤルＵＩ５４０を左方向にダイヤル操作すると、ディスプレイ３５における表示は逆方向になる。より具体的には状態Ａのように「く」が表示されていた場合には、ディスプレイ３５は、左方向へのダイヤル操作に基づいて文字６２０として「き」を表示する。このように、本実施の形態に係る情報表示端末１００は、ユーザがディスプレイ３５から指を離すまで、リスト部のうちの一つの行の見出しを切り換えて表示し続ける。より具体的には、ユーザがダイヤルＵＩ５４０を右方向（時計方向）にダイヤルすると、リストの表示は「い」段、「う」段、「え」段、「お」段、「あ」段のように順送りに表示される。一方、ユーザがダイヤルＵＩを左方向（反時計回り）にダイヤルすると、リストの表示は「お」段、「え」段、「う」段、「い」段、「あ」段のように逆方向に表示される。
【００７２】
状態Ｃに示されるように、ユーザがディスプレイ３５から指を離すと、ブロック６３０に示されるように、連絡先の先頭文字として表示されていた文字は消える。また、ユーザがダイヤルＵＩ５４０から指を離すと、そのときに表示されていた段の選択が確定する。状態Ｃの場合には、「き」の段が選択される。
【００７３】
状態Ｄに示されるように、予め定められた一定時間、ユーザが、ダイヤルＵＩ５４０を操作しない場合には、ブロック６４０に示されるように、ダイヤルＵＩ５４０の表示は消える。
【００７４】
状態Ｅに示されるように、ユーザは、ディスプレイ３５に対してスライド操作６５０を行なうことにより、表示されているリスト部の文字の「段」を切り換えることができる。より具体的には、ユーザがたとえば右方向へのスライド操作を行なうと、ディスプレイ３５は、「か」行から「さ」行へ連絡先の表示を切り換える。一方、ユーザが左方向へのスライド操作を行なうと、ディスプレイ３５は、「か」行の表示から「あ」行への表示に連絡先の表示を切り換える。
【００７５】
具体的には、状態Ｆに示されるように、たとえば、ユーザが「か」行から左方向へのスライド操作６５０を行なうと、ディスプレイ３５は、「あ」行を表示する。ディスプレイ３５は、選択されている文字の行６６０として「あ」を他の文字（たとえば、「か」、「さ」、「た」、「な」）とは異なる態様で表示する。また、「か」行から「あ」行に変更されたことに基づいて、ディスプレイ３５は、ダイヤルＵＩ６７０を改めて表示する。ダイヤルＵＩ６７０が表示されると、ユーザは、回転操作を行なうことにより、前述のような行の切り換えあるいは段の切り換えを実行することができる。
【００７６】
＜変形例＞
以下、本実施の形態の変形例について説明する。本変形例に係る情報表示端末１００は、連絡先を構成する文字列のうち２文字目に対しても前述のような操作を実行できる点で、前述の実施の形態に係る情報表示端末１００と異なる。なお、本変形例に係る情報表示端末１００は、図２に示される情報表示端末１００のハードウェア構成と同様の構成を用いて実現される。したがって、ハードウェア構成の説明は繰り返さない。
【００７７】
＜制御構造＞
図７を参照して、本変形例に係る情報表示端末１００の制御構造について説明する。図７は、本変形例に係る情報表示端末１００のＣＰＵ２０が実行する処理の一部を表わすフローチャートである。なお、前述の処理と同一の処理には同一のステップ番号を付してある。したがって、それらの説明は繰り返さない。
【００７８】
ステップＳ４２５にて、ＣＰＵ２０は、予め定められた時間（ｍ秒）以内にダイヤルＵＩへの操作があった否かを判断する。ＣＰＵ２０は、その時間（ｍ秒）以内にダイヤルＵＩへの操作があったと判断すると（ステップＳ４２５にてＹＥＳ）、制御をステップＳ７１０に切り換える。そうでない場合には（ステップＳ４２５にてＮＯ）、ＣＰＵ２０は、制御をステップＳ４６０に切り換える。
【００７９】
ステップＳ７１０にて、ＣＰＵ２０は、ダイヤルＵＩの全体がディスプレイ３５に表示されているか否かを判断する。ＣＰＵ２０は、ダイヤルＵＩがすべて表示されていると判断すると（ステップＳ７１０にてＹＥＳ）、制御をステップＳ７２０に切り換える。そうでない場合には（ステップＳ７１０にてＮＯ）、ＣＰＵ２０は、制御をステップＳ４３０に切り換える。
【００８０】
ステップＳ７２０にて、ＣＰＵ２０は、ユーザインターフェイス２５からの信号に基づいて、ダイヤルＵＩから指の回転動作を検出したか否かを判断する。ＣＰＵ２０は、指の回転動作を検出したと判断すると（ステップＳ７２０にてＹＥＳ）、制御をステップＳ７３０に切り換える。そうでない場合には（ステップＳ７２０にてＮＯ）、ＣＰＵ２０は、制御をステップＳ７５０に切り換える。
【００８１】
ステップＳ７３０にて、ＣＰＵ２０は、ダイヤルＵＩの回転量に応じて、連絡先を構成する文字列のうちの２文字目を検索し、２文字目の頭出しを行なう。
【００８２】
ステップＳ７４０にて、ＣＰＵ２０は、ユーザインターフェイス２５から送られる信号に基づいて、ユーザの指がディスプレイ３５のタッチパネルから離れたか否かを判断する。ＣＰＵ２０は、指がタッチパネルから離れたと判断すると（ステップＳ７４０にてＹＥＳ）、信号をステップＳ７５０に切り換える。そうでない場合には（ステップＳ７４０にてＮＯ）、ＣＰＵ２０は、制御をステップＳ７１０に戻す。
【００８３】
ステップＳ７５０にて、ＣＰＵ２０は、予め定められた時間（ｋ秒）以上ダイヤルＵＩへの操作を検出していないかどうかを判断する。ＣＰＵ２０は、その時間（ｋ秒）以上ダイヤルＵＩへの操作を検出していないと判断すると（ステップＳ７５０にてＹＥＳ）、制御をステップＳ４６０に切り換える。そうでない場合には（ステップＳ７５０にてＮＯ）、ＣＰＵ２０は、制御をステップＳ７１０に戻す。
【００８４】
ステップＳ４３０にて、ＣＰＵ２０は、ユーザインターフェイス２５から送られる信号に基づいて、ダイヤルＵＩから指の回転動作を検出したか否かを判断する。ＣＰＵ２０は、指の回転動作を検出したと判断すると（ステップＳ４３０にてＹＥＳ）、制御をステップＳ７６０に切り換える。そうでない場合には（ステップＳ４３０にてＮＯ）、ＣＰＵ２０は、制御をステップＳ４５５に切り換える。
【００８５】
ステップＳ７６０にて、ＣＰＵ２０は、ディスプレイ３５に表示されるダイヤルＵＩ（たとえばダイヤルＵＩ５４０）の回転量に応じて、１文字目を検索し、１文字目の頭出しを行なう。
【００８６】
その後、ＣＰＵ２０は、制御をステップＳ４４０に切り換える。
＜表示態様＞
図８を参照して、本変形例に係る情報表示端末１００における画面の表示態様について説明する。図８は、連絡先がディスプレイ３５に表示されている状態を表わす図である。
【００８７】
状態Ａに示されるように、ある局面において、ディスプレイ３５は、連絡先としてたとえば電話帳のリストを表示している。このとき、ディスプレイ３５は、ダイヤルＵＩ８１０を表示領域の下に表示している。ユーザは、ダイヤルＵＩ８１０をドラッグ操作することにより、ダイヤルＵＩ８２０を表示することができる。
【００８８】
状態Ｂに示されるように、ユーザは、ダイヤルＵＩ８２０の近傍をタッチ操作することにより回転動作を与えることができる。たとえば、ユーザは、ダイヤルＵＩ８２０を右方向にダイヤルすることができる。このとき、状態Ｃに示されるように、「あ」行のリストとして表示されていた連絡先（たとえば、「あいだ」〜「あしだ」）は、「あかい」〜「あむら」に変更される。ここで、ブロック８３０に示されるように、前述の実施の形態において表示されていた文字のガイド（たとえば「か」）は表示されない。また、連絡先を構成するリストが画面の上方向にスライドして表示された場合でも、ダイヤルＵＩ８２０の表示位置は変わらない。
【００８９】
状態Ｃにおいては、ダイヤルＵＩ８２０の回転操作によって２文字目が「あ」行から「か」行である連絡先が表示されている。
【００９０】
状態Ｄに示されるように、ユーザがさらにダイヤルＵＩ８２０を右方向に回転操作すると、連絡先の２文字目がさらに切り換えられて、「か」行から「さ」行に属する連絡先の頭出しが行なわれる。より具体的には、見出し８４０に示されるように、「あさはら」が表示される。これは、連絡先において２文字目が「さ」で始まる連絡先が「あさはら」であるためである。
【００９１】
次に、状態Ｅに示されるように、ダイヤルＵＩの全部が表示されず、たとえば、ダイヤルＵＩ８５０のように、一部の画像しか表示されていない場合には、ダイヤルＵＩ８５０の回転操作によって連絡先の１文字目が検索される。
【００９２】
一方、状態Ｆに示されるように、ダイヤルＵＩ８６０のようにすべての画像がディスプレイ３５において表示されている場合には、ＣＰＵ２０は、ダイヤルＵＩ８６０に対する回転動作に基づいて、連絡先の２文字目を検索し、検索結果をディスプレイ３５に表示させる。
【００９３】
＜実施の形態における効果＞
以上のようにして、本実施の形態に係る情報表示端末１００は、先頭に「あ」の段以外の項目（たとえば、名字、見出し語等）が来ることに着目し、上述のような制御構造でユーザインターフェイスを実現している。これにより、情報表示端末１００のユーザは、片手のみの操作で、各行における「ｉ」、「ｕ」、「ｅ」および「ｏ」音に容易に移動できるようになるため、操作性が向上し得る。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９５】
２０  ＣＰＵ、２３  アンテナ、２４  通信装置、２５  ユーザインターフェイス、２６  カメラ、２７  フラッシュメモリ、２８  ＲＡＭ、２９  ＲＯＭ、３０  メモリカード駆動装置、３１  メモリカード、３４  音声信号処理回路、３５  ディスプレイ、３６  ＬＥＤ、３７  データ通信Ｉ／Ｆ、３８  バイブレータ、１００  情報表示端末。
【図１】
2013196599.tif 000003
【図２】
2013196599.tif 000004
【図３】
2013196599.tif 000005
【図４】
2013196599.tif 000006
【図５】
2013196599.tif 000007
【図６】
2013196599.tif 000008
【図７】
2013196599.tif 000009
【図８】
2013196599.tif 000010